(57)【要約】  【課題】  読取部への二回の通紙のみで原稿の両面を読み取ると共にページ順に積み重ねて排出することができる使い勝手と作業効率のよい原稿搬送装置を提供することである。【解決手段】  読取面を上にしてセットされる原稿束の上から順に一枚ずつ繰り出す第一原稿トレイと、スイッチバックローラを備え読み取られた原稿を排出する排出トレイと、読取面を下にしてセットされる原稿束の下から順に一枚ずつ繰り出す第二原稿トレイとを上から順に配設すると共に、前記第一原稿トレイから供給される原稿も、前記第二原稿トレイから供給される原稿もいずれも単一の読取部にて読み取り前記排出トレイに排出する構成とした。【選択図】    図１
2005089152.tif 000002
【特許請求の範囲】
【請求項１】
第一原稿トレイと排出トレイと第二原稿トレイとを上から順に機台本体の一方の側に配設した原稿搬送装置であって、前記第一原稿トレイが、読取面を上にしてセットされる原稿束の上から順に一枚ずつ繰り出す原稿トレイであり、前記第二原稿トレイが、読取面を下にしてセットされる原稿束の下から順に一枚ずつ繰り出す原稿トレイであり、前記排出トレイへ原稿を送り込むローラがスイッチバックローラであると共に、前記第一原稿トレイから供給される原稿も、前記第二原稿トレイから供給される原稿もいずれも単一の読取部にて読み取り前記排出トレイに排出する構成としていることを特徴とする原稿搬送装置。
【請求項２】
前記第一原稿トレイから繰り出された原稿を湾曲搬送路を介して下側に表裏反転させながら搬送して前記読取部へ送り込むと共に、読み取られた原稿をその姿勢のまま前記排出トレイへ排出する構成としたことを特徴とする請求項１に記載の原稿搬送装置。
【請求項３】
前記第二原稿トレイから繰り出された原稿をそのままの姿勢で前記読取部へ送り込んで原稿の第一面を読み取り、読み取った原稿を湾曲搬送路を介して上側に表裏反転させながら搬送して前記排出トレイへ送り込んでスイッチバックさせると共に、戻し搬送路を介して再度前記読取部に送り込んで第二面を読み取った後で、再び前記湾曲搬送路を介して上側に表裏反転させながら搬送して前記排出トレイに排出する構成としたことを特徴とする請求項１または２に記載の原稿搬送装置。
【発明の詳細な説明】
【技術分野】
【０００１】
本発明は、複写機、プリンタ、ファクシミリ装置等の画像読取装置における原稿搬送装置に係り、さらに詳しくは、原稿の両面を読み取ると共にセットされる原稿のページ順を揃えて排出するのに好適な原稿搬送装置に関するものである。
【背景技術】
【０００２】
従来、原稿の両面を読み取る画像読取装置としては、まず、原稿を読取部へ給送して一面を読み取り、排出ローラにより排出トレイ上の排出口へ搬送した後に、原稿の後端を挟持する排出ローラの回転方向を逆転し（スイッチバックし）、該原稿を原稿戻し経路を通じて反転させつつ再度読取部へ給送して、次に裏面を読み取って排出トレイへ排出するように構成されている。さらに、上記技術を改良したものとして、両面の読み取りを終えて排出口へ搬送された原稿を再度スイッチバックさせ、さらにもう一度原稿戻し経路を通じて読取部へ搬送し、このとき該読取部では読み取りを行わずそのまま通過させ、原稿の表面を下にして排出し、給紙口に積まれていたページ順に揃え直しながら順次積載していく技術もある。
【０００３】
また、原稿の両面の読み取りに要する時間を短縮するために、前記反転経路を前記読取部を経由しない経路で構成して、原稿の表裏を反転させて、元のページ順に揃うようにして排出する両面画像読取装置が公開されている。（例えば、特許文献１参照）
さらに、両面原稿トレイと片面原稿トレイとを備えた原稿自動供給装置もすでに公開されている。（例えば、特許文献２参照）
【特許文献１】特開２００２−７２５７１号公報（第１−９頁、第３図）
【特許文献２】特開昭５８−１６６３６１号公報（第１−１０頁、第１図）
【発明の開示】
【発明が解決しようとする課題】
【０００４】
原稿の両面を順次読み取った後でページ順を揃えるために読取部を通過させる従来の方式では、合計三度の読取部通紙を行うことになって、作業効率が悪く時間が掛かり過ぎていた。
【０００５】
上記の特許文献１に記載の画像読取装置においても、読取部に原稿を二回挿通させて原稿の両面を読み取った後で、ページ順を揃えるための反転経路を経由して表裏反転する必要がある。
【０００６】
また、前記特許文献２に記載の原稿自動供給装置では、読取面を下にしてセットされる原稿束の下から順に一枚ずつ繰り出す第一給紙台と読取面を上にしてセットされる原稿束の上から順に一枚ずつ繰り出す第二給紙台とを機台の両側に相対向するように配置した構成であって、機台寸法が大きくなっていると共に、原稿の搬送経路が長くなっている。
【０００７】
本発明の目的は、読取部への二回の通紙のみで原稿の両面を読み取ると共にページ順に排出することができる使い勝手と作業効率のよい原稿搬送装置を提供することである。
【課題を解決するための手段】
【０００８】
上記の目的を達成するために請求項１に係る発明は、第一原稿トレイと排出トレイと第二原稿トレイとを上から順に機台本体の一方の側に配設した原稿搬送装置であって、前記第一原稿トレイが、読取面を上にしてセットされる原稿束の上から順に一枚ずつ繰り出す原稿トレイであり、前記第二原稿トレイが、読取面を下にしてセットされる原稿束の下から順に一枚ずつ繰り出す原稿トレイであり、前記排出トレイへ原稿を送り込むローラがスイッチバックローラであると共に、前記第一原稿トレイから供給される原稿も、前記第二原稿トレイから供給される原稿もいずれも単一の読取部にて読み取り前記排出トレイに排出する構成としていることを特徴としている。
【０００９】
上記の構成を有する請求項１に係る発明によれば、機台の片側に上から順に、第一原稿トレイ、排出トレイ、第二原稿トレイを配設しているので、使い勝手のよいコンパクトな原稿搬送装置とすることができる。
【００１０】
請求項２に係る発明は、前記第一原稿トレイから繰り出された原稿を湾曲搬送路を介して下側に表裏反転させながら搬送して前記読取部へ送り込むと共に、読み取られた原稿をその姿勢のまま前記排出トレイへ排出する構成としたことを特徴としている。
【００１１】
上記の構成を有する請求項２に係る発明によれば、第一原稿トレイを原稿の片面を読み取る際の原稿トレイとし、読取部への一回の通紙で読み取った後、ページ順に積み重ねて排出することができる。
【００１２】
請求項３に係る発明は、前記第二原稿トレイから繰り出された原稿をそのままの姿勢で前記読取部へ送り込んで原稿の第一面を読み取り、読み取った原稿を湾曲搬送路を介して上側に表裏反転させながら搬送して前記排出トレイへ送り込んでスイッチバックさせると共に、戻し搬送路を介して再度前記読取部に送り込んで第二面を読み取った後で、再び前記湾曲搬送路を介して上側に表裏反転させながら搬送して前記排出トレイに排出する構成としたことを特徴としている。
【００１３】
上記の構成を有する請求項３に係る発明によれば、第二原稿トレイを原稿の両面を読み取る際の原稿トレイとし、読取部への二回の通紙で原稿の両面を読み取り、そのままページ順に積み重ねて排出することができる。
【発明の効果】
【００１４】
本発明によれば、原稿の両面を読み取る際に、読取部を二回通紙するだけでページ順に積み重ねて排出することのできる使い勝手のよい原稿搬送装置とすることができる。
【発明を実施するための最良の形態】
【００１５】
使い勝手がよく、原稿の片面或いは両面を読み取りページ順に積み重ねて排出することができる原稿搬送装置を得るという目的を、第一原稿トレイ、排出トレイ、第二原稿トレイを上から順に機台本体の一方の側に配設し、排出トレイにスイッチバックローラを備える構成とすることで実現した。
【実施例】
【００１６】
以下、本発明に係る原稿搬送装置の実施例について、図１から図３に基づいて説明する。
【００１７】
図１は本発明に係る原稿搬送装置の内部構成を示す概略断面図である。図２は本発明に係る第一原稿トレイから供給される片面原稿の流れを示す要部説明図である。図３は本発明に係る第二原稿トレイから供給される両面原稿の流れを示す要部説明図である。
【００１８】
図１に示す原稿搬送装置Ｍは、機台の一方の側に第一原稿トレイ１と排出トレイ３と第二原稿トレイ２とを上から順に配設した構成としている。ここで、第一原稿トレイ１には読取面を上にして原稿をセットし、セットされた原稿束の上から順に一枚ずつ原稿を繰り出すピックアップローラ５を配設している。また第二原稿トレイ２には読取面を下にして原稿をセットし、セットされた原稿束の下から順に一枚ずつ原稿を繰り出す繰出ローラ６を配設している。
【００１９】
また、排出トレイ３へ原稿を送り込むローラにはスイッチバックローラ１６を採用しており、両面読取を行う際には、該スイッチバックローラ１６により原稿をスイッチバックさせて再度読取部４へ搬送する構成としている。
【００２０】
第一原稿トレイ１から供給される原稿Ｐ１は、ピックアップローラ５により原稿束の最上層の原稿を取り出した後で搬送ローラ１０を経由して、第一搬送路２０に供給されている。さらに、搬送ローラ１１から下向きに湾曲し搬送ローラ１２，１３を備える湾曲搬送路２１を経由して記録部４に至る。該読取部４において、原稿Ｐ１の記録された片面（上面に相当）を読み取った後で、前記原稿Ｐ１は、搬送ローラ１４から上方に向かう搬送路２２を経由して排出トレイ３へ送り込まれる。この時に、スイッチバックローラ１６はただ原稿を排出トレイ３へ送り出す方向に回転しているだけである。
【００２１】
そのために、第一原稿トレイ１に載置された状態の上面を表裏反転させながら下側として、読取部４にてその面を読み取った状態で排出トレイ３へ排出する構成であり、その上に順次読み取られた原稿Ｐ１を積み重ねていくことで、元々のページ順を揃えた状態で上下逆さまに積層するものである。つまり、この第一原稿トレイ１は片面原稿を供給するのに好適なトレイである。
【００２２】
また、第二原稿トレイ２から供給される原稿Ｐ２は、繰出ローラ６を介して搬送ローラ７を経由して第二搬送路２３に供給されて、搬送ローラ１４から読取部４に至る。該読取部４において原稿の下面（第一面）を読み取った後で、搬送ローラ１３を介して湾曲搬送路２１へ搬送され、表裏反転されながら、搬送ローラ１２から分岐レバー８Ａにより排出搬送路２４，２５を経由して排出トレイ３へ排出される。
【００２３】
この時に、スイッチバックローラ１６により前記原稿Ｐ２をスッチバックすることができる。このスイッチバック動作は、前記スイッチバックローラ１６の上流側に配設している反転センサ９が搬送される原稿の後端を検知すると、前記スイッチバックローラ１６の回転方向を逆にして、原稿を逆方向に搬送することで実行される。
【００２４】
スイッチバックされる原稿Ｐ２は、上述したように、表裏反転しているので、読み取られた面（第一面）を上側にして、読み取られていない面（元の上面に相当：第二面）を下側にした状態で分岐レバー８Ｂを介して搬送路２２へ案内されて、搬送ローラ１４から読取部４へ至る。つまり、前記搬送路２２は、原稿Ｐ２の読み取られていない面を読取部に対向させて、再度読取部４へ戻す戻し搬送路となる。そのために、該読取部４においては、戻された原稿Ｐ２の、第二原稿トレイ２に載置された状態の上面に相当する面（第二面）を読み取る構成となる。
【００２５】
さらに、二回目の読取を行った後で、搬送ローラ１３を介して湾曲搬送路２１へ搬送し、表裏反転しながら、搬送ローラ１２から分岐レバー８Ａにより排出搬送路２４，２５を経由して排出トレイ３へ排出すると、前記第一面を下側にして排出されるので、ページ順を揃えるように積み重ねた状態で排出する構成となる。
【００２６】
上述したように、第二原稿トレイ２に供給する原稿Ｐ２は、読取部４に二回通紙するだけで、原稿の第一面と第二面との両面を読み取り、さらにページ順を揃えるように積み重ねて排出することができる。つまり、この第二原稿トレイ２は両面原稿を供給するのに好適なトレイである。
【００２７】
上記で説明した搬送ローラあるいはスイッチバックローラはそれぞれ駆動ローラと従動ローラとからなる送りローラ対である。ただしスイッチバックローラは駆動ローラの回転方向を正逆自在に制御可能としていて、搬送する原稿の送り方向を変更自在な構成にしている。
【００２８】
また、前記原稿搬送装置Ｍを備える画像読取装置としては、例えば前記読取部４の下部に、読取手段３１を備える読取装置３０と、読み取られた画像を記録紙に記録する記録装置４０とを配設して一体の画像読取装置を構成することができる。しかし、本発明に係る原稿搬送装置Ｍはその他の構成の画像読取装置に適用することも可能であり、特に限定するものではない。
【００２９】
ここで図２と図３により片面読取と両面読取の際の原稿の流れと重ね合わせの方向について再確認する。
【００３０】
先ず、原稿の片面読取を行う際には図２に示すように、第一原稿トレイ１に読取面を上にして原稿Ｐ１を束にしてセットする。そして、ピックアップローラ５により最上層の原稿のみを搬送ローラ１０へ送り込んで、第一搬送路２０に供給する。さらに、搬送ローラ１１から下向きに湾曲し搬送ローラ１２，１３を備える湾曲搬送路２１を経由して記録部４へ搬送する。該読取部４においては、原稿Ｐ１の元々上側に位置していた読取面が表裏反転させられて下側にあり読取部側に対向した状態となる。
【００３１】
前記読取部４にて走行中の原稿Ｐ１の記録された片面（上面に相当）を読み取り、そのままの姿勢を維持して、搬送ローラ１４から上方に向かう搬送路２２を経由して排出トレイ３へ前記原稿Ｐ１を送り込む。この時に、スイッチバックローラ１６はただ原稿を排出トレイ３へ送り出す方向に回転しているだけである。
【００３２】
そのために、排出トレイ３に排出される原稿Ｐ１は読取面を下側として排出され、順次積層されていくものである。これは元々の原稿束を上下逆さまとして積層していく状態であり、ページ順が揃えられた状態であることには違いがなく、単に原稿束の上下を逆にして積み重ねた状態である。
【００３３】
また、原稿の両面読取を行う際には図３に示すように、第二原稿トレイ２に両面に画像が形成された原稿Ｐ２を束にしてセットする。そして、繰出ローラ６により最下層の原稿を繰り出して搬送ローラ７へ送り込んで、第二搬送路２３に供給する。
【００３４】
ここで搬送ローラ７は、セパレートローラ７Ａとリタードローラ７Ｂとで構成される分離ローラであって、繰出ローラ６により繰り出されてくる原稿が複数であっても、その最下層の原稿のみを分離して送り出すことができる。
【００３５】
前記搬送ローラ７から第二搬送路２３へ供給される原稿Ｐ２を、搬送ローラ１４を介して読取部４へ搬送する。該読取部４において原稿の下面（第一面）を読み取った後で、搬送ローラ１３を介して湾曲搬送路２１へ搬送し、表裏反転しながら、搬送ローラ１２から分岐レバー８Ａにより排出搬送路２４，２５を経由して排出トレイ３へ排出する。
【００３６】
この時に、スイッチバックローラ１６の上流側に配設している反転センサ９が搬送される原稿の後端を検知すると、前記スイッチバックローラ１６の回転方向を逆にして原稿をスイッチバックする。
【００３７】
スイッチバックされた原稿Ｐ２は、上述したように、表裏反転しているので、読み取られた面（元の下面である第一面）を上側にして、読み取られていない面（元の上面に相当する第二面）を下側にした状態で分岐レバー８Ｂを介して搬送路２２へ案内されて、搬送ローラ１４から読取部４へ至る。そのために、該読取部４においては、まだ読み取られていない面（第二面）を読み取る構成となる。
【００３８】
そして、二回目の読取（両面読取）を行った後で、搬送ローラ１３を介して再度湾曲搬送路２１へ搬送し、表裏反転しながら、搬送ローラ１２から分岐レバー８Ａを介して排出搬送路２４，２５を経由して排出トレイ３へ排出する。この排出される状態は、元の上面を上側とし、元の下面を下側にした状態であり、この状態を維持したまま、順次積層されていくので、原稿束の下側から順次取り出し、そのまま、ページ順を揃えた状態で積み重ねて排出する構成となる。
【００３９】
つまり、両面読取の際に、読取部４への二回の通紙のみで原稿の両面を読み取ると共にページ順に積み重ねて排出することができる使い勝手と作業効率のよい原稿搬送装置とすることができる。
【００４０】
上述したように、片面読取の際にも、両面読取の際にも、原稿を連続して搬送しながら読み取ることができ、さらには、片面読取の際には、一回の読取部への通紙でよく、両面読取の際には、二回の読取部への通紙でよいために、使い勝手がよく作業効率もよい原稿搬送装置とすることができる。
【００４１】
また、同一の読取部にて原稿の両面を読み取るので、画像が乱れることがなく、確実に読み取ることができ、コスト的にも有効である。
【図面の簡単な説明】
【００４２】
【図１】本発明に係る原稿搬送装置の内部構成を示す概略断面図である。
【図２】本発明に係る第一原稿トレイから供給される片面原稿の流れを示す要部説明図である。
【図３】本発明に係る第二原稿トレイから供給される両面原稿の流れを示す要部説明図である。
【符号の説明】
【００４３】
１  第一原稿トレイ
２  第二原稿トレイ
３  排出トレイ
４  読取部
５  ピックアップローラ
６  繰出ローラ
１６  スイッチバックローラ
２１  湾曲搬送路
２２  （戻し）搬送路
Ｍ  原稿搬送装置
【図１】
2005089152.tif 000003
【図２】
2005089152.tif 000004
【図３】
2005089152.tif 000005